(57)【要約】【課題】暗証番号の入力により盗難防止状態を解除する装置に於いて、でたらめに暗証番号を入力しても偶然による盗難防止解除をできなくする。【解決手段】入力部１８に暗証番号をキー入力できるまでの待ち時間を設定する入力ウエイト部２２と、入力部１８に暗証番号が入力された回数を計測するカウンタ部２３とを設け、入力部１８に入力された暗証番号が「偽」と判定された回数が所定回数に達したときは、入力ウエイト部２２の待ち時間を延長するようにした。【選択図】  図１
2004243817.tif 000002
【特許請求の範囲】
【請求項１】
エンジンを始動・停止するキースイッチと、暗証番号をキー入力する入力部と、予め設定した暗証番号を記憶する記憶手段と、前記入力部にて新たに入力された暗証番号と記憶部に記憶された暗証番号とを比較して暗証番号の真偽を判定する判定部と、新たに入力された暗証番号が「偽」と判定されたときは前記キースイッチによるエンジンの始動を許可しない制御部とを備えた建設機械の盗難防止装置に於いて、前記入力部に暗証番号をキー入力できるまでの待ち時間を設定する入力ウエイト部と、入力部に暗証番号が入力された回数を計測するカウンタ部とを設け、入力部に入力された暗証番号が「偽」と判定された回数が所定回数に達したときは入力ウエイト部の待ち時間を延長するようにしたことを特徴とする建設機械の盗難防止装置。
【請求項２】
上記入力部に入力された暗証番号が「偽」と判定された回数が所定回数に達したときは、「偽」と判定された回数が増加するのに伴って入力ウエイト部の待ち時間を順次漸増させていくようにした請求項１記載の建設機械の盗難防止装置。
【発明の詳細な説明】
【０００１】
【発明の属する技術分野】
本発明は建設機械の盗難防止装置に関するものであり、特に、暗証番号の入力データの真偽を判別して作動する建設機械の盗難防止装置に関するものである。
【０００２】
【従来の技術】
従来の此種建設機械の盗難防止装置は、エンジンによって油圧ポンプを駆動し、該油圧ポンプから吐出される作動油の圧力を検出する手段と、暗証番号を入力する入力手段と、予め設定した暗証番号を記憶する記憶手段と、前記入力手段にて新たに入力された暗証番号と記憶部に記憶された暗証番号とを比較して暗証番号の真偽を判定する判定手段とを備え、新たに入力された暗証番号が「偽」と判定されたときはコントロールバルブの切り替え操作により、前記作動油の圧力が変動したときにエンジンの回転を停止する手段を設けたものが知られている（例えば、特許文献１参照）。
【０００３】
また、運転室から運転者が離れたことを検出する検出手段と、この検出手段による検出動作から所定時間経過後にエンジンの停止指令を出力する制御部と、入力された暗証コード（暗証番号）が所定のものか否かを判定するコード判定部とを有し、前記停止指令によりエンジンを停止した後、コード判定部の判定結果に応じてエンジンを起動するようにしたものも知られている（例えば、特許文献２参照）。
【０００４】
【特許文献１】
特開２００１−１２３４８１号公報（第２〜３頁、図１）。
【０００５】
【特許文献２】
特開２０００−１７０２１６号公報（第２〜３頁、図１）。
【０００６】
【発明が解決しようとする課題】
上記特許文献１記載の盗難防止装置は、入力された暗証番号が「偽」と判定されたときは、コントロールバルブが切り替えられて作動油の圧力が上昇したことを検出し、且つ、該作動油の圧力が所定圧を超えて一定時間が経過したときに、アクチュエータにエンジン停止信号を出力する。しかし、その間にでたらめに暗証番号を入力し、万一、入力された暗証番号が偶然に「真」となったときは、前記アクチュエータに対して通常の指令信号を出力してエンジンの回転が作業可能な状態まで上昇する。即ち、盗難防止状態が解除されてしまう。
【０００７】
また、上記特許文献２記載の盗難防止装置は、運転者が運転室から離れたことを検出手段により検出してから、所定時間が経過すると制御部から出力される停止指令によりエンジンが停止する。そして、新たに入力された暗証コードが「偽」の場合はエンジンの始動を阻止する。しかし、この場合も、でたらめに暗証番号を入力し、万一、入力された暗証番号が偶然に「真」となったときは、エンジンが始動するため、盗難防止状態が解除されてしまう。
【０００８】
これを防止するためには、入力された暗証番号が所定回数「偽」と判定されたときは、その後に「真」の暗証番号が入力されたとしても、盗難防止を解除できなくするような手段もあるが、斯かる場合は、元の状態に復旧するのに多大な工数が必要となる。
【０００９】
そこで、暗証番号の入力により盗難防止状態を解除する装置に於いて、でたらめに暗証番号を入力しても偶然による盗難防止解除をできなくするために解決すべき技術的課題が生じてくるのであり、本発明はこの課題を解決することを目的とする。
【００１０】
【課題を解決するための手段】
本発明は上記目的を達成するために提案されたものであり、エンジンを始動・停止するキースイッチと、暗証番号をキー入力する入力部と、予め設定した暗証番号を記憶する記憶手段と、前記入力部にて新たに入力された暗証番号と記憶部に記憶された暗証番号とを比較して暗証番号の真偽を判定する判定部と、新たに入力された暗証番号が「偽」と判定されたときは前記キースイッチによるエンジンの始動を許可しない制御部とを備えた建設機械の盗難防止装置に於いて、前記入力部に暗証番号をキー入力できるまでの待ち時間を設定する入力ウエイト部と、入力部に暗証番号が入力された回数を計測するカウンタ部とを設け、入力部に入力された暗証番号が「偽」と判定された回数が所定回数に達したときは入力ウエイト部の待ち時間を延長するようにした建設機械の盗難防止装置、
及び、上記入力部に入力された暗証番号が「偽」と判定された回数が所定回数に達したときは、「偽」と判定された回数が増加するのに伴って入力ウエイト部の待ち時間を順次漸増させていくようにした建設機械の盗難防止装置を提供するものである。
【００１１】
【発明の実施の形態】
以下、本発明の一実施の形態を図面に従って詳述する。図１は建設機械の盗難防止装置のブロック図であり、エンジン１１への燃料噴射量を調整するためのガバナ１２は、ガバナレバー１３の回動によりガバナ角が変化してエンジン回転数が増減する。前記カバナレバー１３はリンク１４を介してスロットルアクチュエータ１５に接続されており、コントローラ１６の制御により前記スロットルアクチュエータ１５が駆動されてカバナレバー１３が回動する。また、エンジン１１を始動・停止するキースイッチ１７と、暗証番号をキー入力する入力部１８とが、前記コントローラ１６に接続されている。
【００１２】
前記コントローラ１６には予め設定した暗証番号を記憶する記憶手段１９と、前記入力部１８にて新たに入力された暗証番号と記憶部に記憶された暗証番号とを比較して暗証番号の真偽を判定する判定部２０と、新たに入力された暗証番号が「偽」と判定されたときは前記キースイッチ１７によるエンジンの始動を許可しない制御部２１とが備えられている。また、前記入力部１８に暗証番号をキー入力できるまでの待ち時間を設定する入力ウエイト部２２と、前記入力部１８に暗証番号が入力された回数を計測するカウンタ部２３とを設ける。
【００１３】
予め暗証番号を設定する場合は、前記入力部１８の操作により設定モードに切り替えて、任意の暗証番号を入力すれば、設定した暗証番号が前記記憶手段１９に記憶される。設定した暗証番号が記憶手段１９に記憶された後には、前記入力部１８は設定モードから暗証番号の入力モードに切り替わる。通常では、前記入力ウエイト部２２は入力待ち時間を最低時間に設定してあるので（例えば０秒）、暗証番号を直ちに入力部１８にて入力することができ、入力された暗証番号は直ちに判定部２０にて暗証番号の真偽が判定される。
【００１４】
従来は、入力待ち時間が０秒の状態であるため、表１に示すように、
【００１５】
【表１】
2004243817.tif 000003
１回目に入力した暗証番号（例えば「１１１１」）が「偽」であると判定されたときは、直ちに２回目に新たな暗証番号（例えば「１１１２」）を入力することができる。そして、２回目に入力した暗証番号が「偽」であると判定されたときは、直ちに３回目に新たな暗証番号（例えば「１１１３」）を入力することができる。そして、３回目に入力した暗証番号が「偽」であると判定されたときは、直ちに４回目に新たな暗証番号（例えば「１１１４」）を入力することができる。このように、従来は、入力した暗証番号が「偽」であると判定されたときは、直ちに別の異なる暗証番号を入力することができるため、でたらめに暗証番号を入力し、万一、入力された暗証番号が偶然に「真」となったときは、盗難防止状態が解除されてしまう虞があった。
【００１６】
これを防止するために、本発明では、前記入力部１８に入力された暗証番号が「偽」と判定された回数が所定回数に達したときは、「偽」と判定された回数が増加するのに伴って入力ウエイト部の待ち時間を順次漸増させていくようにして、でたらめに暗証番号を順次入力できないようにした。
【００１７】
例えば、前記入力部１８に入力された暗証番号が「偽」と判定された回数が３回に達したときは、「偽」と判定された回数が増加するのに伴って入力ウエイト部の待ち時間を９秒間ずつ増加させるものと設定すれば、表２及び図２のフローチャートに示すような制御手順にて盗難防止装置が動作する。
【００１８】
【表２】
2004243817.tif 000004
初期状態では、入力ウエイト部２２の設定が入力待ち時間を０秒間に設定してあるので、暗証番号を直ちに入力部１８にキー入力できる（ステップ１）。作業者が、先ず１回目に例えば間違った暗証番号「１１１１」を入力すれば（ステップ２）、カウンタ部２３が入力された回数を計測して該カウンタ部２３に回数１を加算する（ステップ３）。そして、作業者がキースイッチ１７をオンしたときは（ステップ４）、先ず１回目で所定回数の３回に達していないので（ステップ５）、判定部２０にて暗証番号の真偽の判定が行われる（ステップ６）。この場合は、入力された暗証番号が「偽」であると判定されるので、制御はステップ１に戻る。
【００１９】
２回目はまだ入力待ち時間が０秒間に設定されているので、２回目の新たな暗証番号（例えば「１１１２」）を直ちに入力することができる（ステップ２）。２回目の暗証番号（例えば「１１１２」）を入力すれば（ステップ２）、カウンタ部２３が入力された回数を計測して該カウンタ部２３に回数１を加算する（ステップ３）。そして、作業者がキースイッチ１７をオンしたときは（ステップ４）、２回目で所定回数の３回に達していないので（ステップ５）、判定部２０にて暗証番号の真偽の判定が行われる（ステップ６）。この場合は、入力された暗証番号が「偽」であると判定されるので、制御はステップ１に戻る。
【００２０】
３回目はまだ入力待ち時間が０秒間に設定されているので、３回目の新たな暗証番号（例えば「１１１３」）を直ちに入力することができる（ステップ２）。３回目の暗証番号（例えば「１１１３」）を入力すれば（ステップ２）、カウンタ部２３が入力された回数を計測して該カウンタ部２３に回数１を加算する（ステップ３）。そして、作業者がキースイッチ１７をオンしたときは（ステップ４）、所定回数の３回に達したので（ステップ５）、入力ウエイト部２２が待ち時間を例えば９秒間だけ増加する（ステップ８）。そして、判定部２０にて暗証番号の真偽の判定が行われる（ステップ６）。この場合は、入力された暗証番号が「偽」であると判定されるので、制御はステップ１に戻る。
【００２１】
４回目になると、所定回数の３回に達したことにより前記入力ウエイト部２２が入力待ち時間を９秒間に設定したので、この待ち時間が経過するまでキー入力することができない（ステップ１）。そして、入力待ち時間の９秒間が経過した後に、４回目の新たな暗証番号（例えば「１１１４」）を入力することができ（ステップ２）、４回目の暗証番号を入力すれば、カウンタ部２３が入力された回数を計測して該カウンタ部２３に回数１を加算する（ステップ３）。そして、作業者がキースイッチ１７をオンしたときは（ステップ４）、当然所定回数の３回に達しているので（ステップ５）、入力ウエイト部２２が待ち時間を更に９秒間だけ増加して、入力待ち時間を合計１８秒間とする（ステップ８）。そして、判定部２０にて暗証番号の真偽の判定が行われる（ステップ６）。この場合は、入力された暗証番号が「偽」であると判定されるので、制御はステップ１に戻る。
【００２２】
このように、前記入力部１８に入力された暗証番号が「偽」と判定された回数が所定回数（例えば３回）に達したときは、その後、「偽」と判定された回数が増加するに伴って入力ウエイト部の待ち時間を順次増加（例えば９秒間ずつ）させていくようにしたので、暗証番号の入力を間違える都度、キーを入力するのに待ち時間が長くなって、でたらめの暗証番号入力による偶然の盗難防止解除が極めて困難となる。また、暗証番号入力を所定回数間違えたときに盗難防止を解除できなるようなこともなく、元の状態に復旧するのも簡単である。
【００２３】
尚、本発明は、本発明の精神を逸脱しない限り種々の改変を為すことができ、そして、本発明が該改変されたものに及ぶことは当然である。
【００２４】
【発明の効果】
本発明は上記一実施の形態に詳述したように、請求項１記載の発明は、入力部に暗証番号が入力された回数をカウンタ部にて計測し、入力された暗証番号が「偽」と判定された回数が所定回数に達したときは、入力ウエイト部の待ち時間を延長するようにしたので、キーを入力するのに待ち時間が長くなって、でたらめの暗証番号入力による盗難防止解除までの時間を大幅に延ばすことができる。また、暗証番号入力を所定回数間違えたときに盗難防止を解除できなるようなこともなく、元の状態に復旧するのも簡単である。
【００２５】
請求項２記載の発明は、暗証番号が「偽」と判定された回数が所定回数に達したときは、「偽」と判定された回数が増加するのに伴って入力ウエイト部の待ち時間を漸増させていくので、暗証番号の入力を間違える都度、キーを入力する待ち時間が長くなって、でたらめの暗証番号入力による偶然の盗難防止解除が極めて困難となる。
【図面の簡単な説明】
図は本発明の一実施の形態を示すものである。
【図１】建設機械の盗難防止装置のブロック図。
【図２】制御手順を示すフローチャート。
【符号の説明】
１１        エンジン
１６        コントローラ
１７        キースイッチ
１８        入力部
１９        記憶手段
２０        判定部
２１        制御部
２２        入力ウエイト部
２３        カウンタ部
【図１】
2004243817.tif 000005
【図２】
2004243817.tif 000006